(57)【要約】【課題】煽り運動健康靴に装着されるミッドソール及びその製法【解決手段】煽り運動健康靴に装着されるミッドソールを容易で簡単に製作でき、トンネル部（２８）またはエアーバック（１２８）が形成された煽り運動健康靴は、かかとが地面で煽り運動をすることによって、着地及び重心移動段階で着地衝撃を均一に分散させ、足首関節、脚及び身体に不連続的な衝撃を与えず、マイルドな着地と自然な歩行を可能にする、煽り運動健康靴に装着されるミッドソール及びその製法を提供する。【選択図】図１
2008523882.tif 000002
【特許請求の範囲】
【請求項１】
甲革（１０）、中敷き（２６）、ミッドソール（２２）及びアウトソール（２４）で構成された靴において、前記ミッドソール（２２）は、前方部が、前方の一定位置から前方先端に続く多数のスリット（２９ａ）が形成されて数等分され、中央腰部分に補強のためのビード（ｂｅｅｄ）形態のリブ（２９ｂ）が前後方向に形成された高弾力性のシャンク（ｓｈａｎｋ）（２９）が内蔵されており、かかとが一側面から他側面へ貫通されてなり、かかとが地面となす主要傾斜角が０〜４０°となる半楕円状のトンネル部（２８）またはエアーバック（１２８）が設けられ、靴底のかかと底面が、足のかかとの形状及び歩行時の足首関節に対するかかとの運動軌跡に沿って前後方向に曲面形状に形成され、歩行時に地面に対して煽り運動がなされることを特徴とする、煽り運動健康靴に装着されるミッドソール。
【請求項２】
前記トンネル部（２８）が装着されたミッドソール（２２）は、
かかとが一側面から他側面へ貫通されており、かかとが地面となす主要傾斜角が０〜４０°となる半楕円状のトンネル部（１１２）が形成されており、前記トンネル部（１１２）の上部面に１〜２０個の支持突起（１１４）が形成されている上部パッド（１１０）と；
前記上部パッド（１１０）のトンネル部（１１２）と対称に一側面から他側面へ貫通されており、地面となす主要傾斜角が０〜４０°となる半楕円状のトンネル部（１２２）が形成されており、前記トンネル部（１２２）の下部面において上部パッド（１１０）の支持突起（１１４）に相互対応する位置に１〜２０個の支持突起（１２４）が形成されている下部パッド（１２０）と；からなり、
前記上部パッド（１１０）の支持突起（１１４）と下部パッド（１２０）の支持突起（１２４）が相互対応して接触する状態、または、上部パッド（１１０）の支持突起（１１４）と下部パッド（１２０）の支持突起（１２４）が接着剤によって相互接着された状態で、上部パッド（１１０）のトンネル部（１１２）の周縁に下部パッド（１２０）のトンネル部（１２２）の周縁を接着することによってミッドソールのトンネル部（２８）が形成された状態でミッドソールの完製品が作られることを特徴とする、請求項１に記載の煽り運動健康靴装着用ミッドソール。
【請求項３】
前記トンネル部（２８）は、上部パッド（１１０）の支持突起（１１４）と下部パッド（１２０）の支持突起（１２４）が相互対応する位置に接触する状態、または、上部パッド（１１０）の支持突起（１１４）と下部パッド（１２０）の支持突起（１２４）が接着剤によって相互接着された状態で、支持突起（１１４，１２４）を包む形で１〜２０個のスプリング（１３０）がさらに装着されることを特徴とする、請求項２に記載の煽り運動健康靴装着用ミッドソール。
【請求項４】
前記ミッドソールは、かかとが地面となす主要傾斜角が０〜４０°となる後上がり曲面形状に形成されたアウトソール（２４）がさらに取り付けられて靴が完成することを特徴とする、請求項１に記載の煽り運動健康靴に装着されるミッドソール。
【請求項５】
甲革、中敷き、ミッドソール及びアウトソールで構成された靴の製法において、
かかとは一側面から他側面へ貫通されており、地面となす主要傾斜角が０〜４５°となる半楕円状のトンネル部（１１２）が形成されており、前記トンネル部（１１２）の上部面に１〜２０個の支持突起（１１４）が形成されている上部パッド（１１０）を製作する段階と；
前記上部パッド（１１０）のトンネル部（１１２）と対称に一側面から他側面へ貫通されており、地面となす主要傾斜角が０〜４５°となる半楕円状のトンネル部（１２２）が形成されており、前記トンネル部（１２２）の下部面において上部パッド（１１０）の支持突起（１１４）と相互対応する位置に１〜２０個の支持突起（１２４）が形成されている下部パッド（１２０）を製作する段階と；
前記上部パッド（１１０）の支持突起（１１４）と下部パッド（１２０）の支持突起（１２４）が相互対応する位置に接触する状態、または、上部パッド（１１０）の支持突起（１１４）と下部パッド（１２０）の支持突起（１２４）が接着剤によって相互接着された状態で、上部パッド（１１０）のトンネル部（１１２）の周縁に下部パッド（１２０）のトンネル部（１２２）の周縁を接着することによってミッドソールのトンネル部（２８）が形成された状態にミッドソールの完製品を製作する段階と、
で構成されることを特徴とする、煽り運動健康靴装着用ミッドソールの製法。
【発明の詳細な説明】
【技術分野】
【０００１】
本発明は、煽り運動健康靴に装着されるミッドソール及びその製法に係り、具体的には、容易で簡単に製作でき、かつ、トンネル部またはエアーバックを有し、そのかかとが煽り運動することによって、着地及び重心移動段階で着地衝撃を均一に分散させるとともに、足首関節、脚及び身体に不連続的な衝撃を誘発せず、マイルドな着地と自然な歩行を可能にする、煽り運動健康靴に装着されるミッドソール及びその製法に関する。
【背景技術】
【０００２】
一般に、歩行時には、大きく、かかとによる着地段階、かかとからつま先への重心移動段階、つま先が地面を蹴り出しつつ離脱する段階の３段階を左右の足が地面に対して連続して反復する。従来の靴は、ヒールの形状が地面に対して略直角となり、特に、ヒールの高い靴の場合には、ヒールのエッジが鋭くなっており、着地時にこの鋭いエッジ部が地面に最も早く着く。このようにヒールの接地面が狭い線形形状に近いと、着地時の衝撃が大きく、着地の次の段階である重心移動段階への移動が一気になされるから、足首関節の他、脚と身体の各関節に急に衝撃が伝えられ、着地感が悪く、歩行が不自然になるという問題点につながる。
【発明の開示】
【発明が解決しようとする課題】
【０００３】
本発明は上記の問題点を解決するためのもので、その目的は、装着されるミッドソールを容易で簡単に製作でき、かつ、トンネル部またはエアーバックを有し、そのかかとが煽り運動をすることによって、着地及び重心移動段階で着地衝撃を均一に分散させ、足首関節の他、脚及び身体に不連続的な衝撃を誘発せず、マイルドな着地と自然な歩行を可能にする、かかとの改良された健康靴を提供することにある。
【課題を解決するための手段】
【０００４】
上記目的を達成するために、本発明は、甲革（１０）、中敷き（２６）、ミッドソール（２２）及びアウトソール（２４）で構成された靴において、ミッドソール（２２）は、前方部が、前方の一定位置から前方先端に続く多数のスリット（２９ａ）が形成されて数等分され、中央腰部分に補強のためのビード（ｂｅｅｄ）形態のリブ（２９ｂ）が前後方向に形成された高弾力性のシャンク（ｓｈａｎｋ）（２９）が内蔵されており、かかとが一側面から他側面へ貫通されてなり、かかとが地面となす主要傾斜角が０〜４０°となる半楕円状のトンネル部（２８）またはエアーバック（１２８）が設けられ、靴底のかかと底面が、足のかかとの形状及び歩行時の足首関節に対するかかとの運動軌跡に沿って前後方向に曲面形状に形成され、歩行時に地面に対して煽り運動がなされることを特徴とする、煽り運動健康靴に装着されるミッドソールである。
【０００５】
本発明において、トンネル部（２８）が装着されたミッドソール（２２）は、かかとが一側面から他側面へ貫通されており、かかとが地面となす主要傾斜角が０〜４０°となる半楕円状のトンネル部（１１２）が形成されており、トンネル部（１１２）の上部面に１〜２０個の支持突起（１１４）が形成されている上部パッド（１１０）と；上部パッド（１１０）のトンネル部（１１２）と対称に一側面から他側面へ貫通されており、地面となす主要傾斜角が０〜４０°となる半楕円状のトンネル部（１２２）が形成されており、トンネル部（１２２）の下部面において上部パッド（１１０）の支持突起（１１４）に相互対応する位置に１〜２０個の支持突起（１２４）が形成されている下部パッド（１２０）と；からなり、上部パッド（１１０）の支持突起（１１４）と下部パッド（１２０）の支持突起（１２４）が相互対応して接触する状態、または、上部パッド（１１０）の支持突起（１１４）と下部パッド（１２０）の支持突起（１２４）が接着剤によって相互接着された状態で、上部パッド（１１０）のトンネル部（１１２）の周縁に下部パッド（１２０）のトンネル部（１２２）の周縁を接着することによってミッドソールのトンネル部（２８）が形成された状態でミッドソールの完製品が作られることを特徴とする。
【０００６】
本発明の煽り運動健康靴に装着されるミッドソールにおいて、トンネル部（２８）は、上部パッド（１１０）の支持突起（１１４）と下部パッド（１２０）の支持突起（１２４）が相互対応する位置に接触する状態、または、上部パッド（１１０）の支持突起（１１４）と下部パッド（１２０）の支持突起（１２４）が接着剤によって相互接着された状態で、支持突起（１１４，１２４）を包む形で１〜２０個のスプリング（１３０）がさらに装着されたことを特徴とする。
【０００７】
本発明の煽り運動健康靴に装着されるミッドソールは、かかとが地面となす主要傾斜角が０〜４０°となる後上がり曲面形状に形成されたアウトソール（２４）がさらに装着されて靴が完成することを特徴とする。
【０００８】
上記目的を達成するために、本発明は、甲革、中敷き、ミッドソール及びアウトソールで構成された靴の製法において、かかとは一側面から他側面へ貫通されており、地面となす主要傾斜角が０〜４５°となる半楕円状のトンネル部（１１２）が形成されており、トンネル部（１１２）の上部面に１〜２０個の支持突起（１１４）が形成されている上部パッド（１１０）を製作する段階と；上部パッド（１１０）のトンネル部（１１２）と対称に一側面から他側面へ貫通されており、地面となす主要傾斜角が０〜４５°となる半楕円状のトンネル部（１２２）が形成されており、トンネル部（１２２）の下部面において上部パッド（１１０）の支持突起（１１４）と相互対応する位置に１〜２０個の支持突起（１２４）が形成されている下部パッド（１２０）を製作する段階と；上部パッド（１１０）の支持突起（１１４）と下部パッド（１２０）の支持突起（１２４）が相互対応する位置に接触する状態、または、上部パッド（１１０）の支持突起（１１４）と下部パッド（１２０）の支持突起（１２４）が接着剤によって相互接着された状態で、上部パッド（１１０）のトンネル部（１１２）の周縁に下部パッド（１２０）のトンネル部（１２２）の周縁を接着することによってミッドソールのトンネル部（２８）が形成された状態にミッドソールの完製品を製作する段階と、で構成されることを特徴とする、煽り運動健康靴装着用ミッドソールの製法である。
【発明の効果】
【０００９】
本発明は、煽り運動健康靴に装着されるミッドソールを容易で簡単に製作でき、トンネル部またはエアーバックを設け、かかとが地面で煽り運動をすることによって着地及び重心移動段階で着地衝撃を均一に分散させ、足首関節、脚及び身体に不連続的な衝撃が起こるのを防止し、マイルドな着地と自然な歩行を可能にする、かかとの改良された健康靴を提供できる、靴産業上に非常に有用なものである。
【発明を実施するための最良の形態】
【００１０】
以下、本発明を、添付図面を参照しつつ詳細に説明する。
【００１１】
図１２に示すように、本発明のミッドソールが装着された健康靴は、大きく、甲革１０と、底２０とで構成されており、甲革１０は、裏革１２及び表革１４を備えており、底２０は、ミッドソール２２とアウトソール２４を備えている。図１から図８に示すように、本発明のミッドソールが装着された健康靴は、ミッドソール２２が完製品として装着される。すなわち、ミッドソール２２の完製品を製作するために、まず、上部パッド１１０と下部パッド１２０を別に製作した後、上部パッド１１０の支持突起１１４と下部パッド１２０の支持突起１２４が相互対応して接触するように、上部パッド１１０のトンネル部１１２の周縁に下部パッド１２０のトンネル部１２２の周縁を接着する。これによって、トンネル部２８が形成されたミッドソール２２の完製品が製作され、この完製品のミッドソール２２を靴の甲革に装着すれば良い。本発明のミッドソールに形成された支持突起１１４，１２４は、合成樹脂または弾性体合成ゴムから作られることが可能で、ポリウレタン材質からなることが好ましい。
【００１２】
図１から図８に示すように、本発明のミッドソールにおいて、上部パッド１１０は、かかとが一側面から他側面に貫通されており、かかとが地面となす主要傾斜角が０〜４０°となる半楕円状のトンネル部１１２が形成されており、トンネル部１１２の上部面には１〜２０個の支持突起１１４が形成されている。本発明のミッドソールのトンネル部２８に形成されたトンネルは、トンネルの形成されていない場合に比べて硬度を半分に減らし、緩衝効果を高めることができる。
【００１３】
図５から図８に示すように、本発明のミッドソールのトンネル部２８にはスプリング１３０が装着されても良い。スプリング１３０が装着されると、スプリングの装着されていない場合に比べて硬度が半分に減り、緩衝効果を高めることができる。
【００１４】
図９に示すように、本発明のミッドソールは、かかとが地面となす主要傾斜角が０〜４０°となる半楕円状のエアーバック１２８が形成されても良く、このようなミッドソールのエアーバック１２８に形成されたトンネル及びエアーバックは、トンネル及びエアーバックの形成されていない場合に比べて硬度を半分に減らし、緩衝効果を高めることができる。
【００１５】
本発明のミッドソールの上部パッド１１０でトンネル部１１２の主要傾斜角が０°である場合、かかとの平坦な一般の靴が作られ、トンネル部１１２の主要傾斜角が１〜４０°、好ましくは２０〜４０°であると、かかとの底面形状が曲面となり、特に、後方へ行くほど地面に対する傾斜角が順次増加する滑らかな曲面形状となる。これと関連し、本発明の靴に装着されたミッドソール２２は、かかとの底面形状が曲面とされ、特に、後方へ行くほど地面に対する傾斜角が順次増加する滑らかな曲面形状とする。このとき、曲面の形状は、足のかかと及び歩行時の足首関節に対するかかとの運動軌跡に合わせて形成することが好ましく、特に、地面に対する主要傾斜角Ｒを０〜４０°として形成することが、人体工学的な面で効果的である。この主要傾斜角Ｒは、着地時に地面に対してかかとがなす平均角度から算出される。
【００１６】
図１から図８に示すように、本発明のミッドソールの上部パッド１１０においてトンネル部１１２の上部面に１〜２０個、好ましくは、５〜１０個の支持突起１１４が形成されており、相互対応する位置に形成されている下部パッド１２０の支持突起１２４と接触した状態で着地時にトンネル部２８が地面と並んで置かれるようにし、収縮による緩衝効率を高めることができ、かつ、着地及び重心移動段階で収縮されたトンネル部２８は、地面から離れる際にその形状が復元され反発力を発生させることによって歩行効率を高める。本発明のトンネル部の形成された煽り運動健康靴に装着されるミッドソールにおいて、ミッドソールのトンネル部２８は、上部パッド１１０の支持突起１１４と下部パッド１２０の支持突起１２４とが密着した状態に形成する、または、上部パッド１１０の支持突起１１４と下部パッド１２０の支持突起１２４とを接着剤で接着した状態に形成することができる。
【００１７】
図１から図８に示すように、本発明のミッドソールにおいて下部パッド１２０は、上部パッド１１０のトンネル部１１２に対称に、一側面から他側面へ貫通されており、地面となす主要傾斜角が０〜４０°、好ましくは、２０〜４０°となる半楕円状のトンネル部１２２が形成されており、このトンネル部１２２の下部面において上部パッド１１０の支持突起１１４と相互対応する位置に、１〜２０個、好ましくは５〜１０個の支持突起１２４が形成されている。
【００１８】
本発明のミッドソールが装着された健康靴は、ミッドソール２２のかかとの底面を左右方向には平坦に維持して歩行の左右安全性を確保している点は、従来の靴と同様である。本発明のミッドソールが装着された健康靴において、アウトソール２４は、ミッドソール２２の底面に結合され、このとき、かかと底面の曲面形状が維持されるようにミッドソール２２の曲面形状に沿って結合される。本発明の健康靴では、ミッドソール２２のかかとにはトンネル部２８が形成され、このトンネル部２８は、傾斜した曲面形状に沿って地面に対して後上がりになるように挿入され、主要傾斜角Ｒと同角度で傾いた状態でミッドソール２２に収容されるようにすることが好ましい。これは、着地段階でかかとと地面がなす平均的な角度によるもので、ミッドソールのトンネル部２８に形成されたトンネルは、トンネルの形成されていない場合に比べて硬度を半分に減らし、緩衝効果を高めることができ、かつ、着地時にトンネル部２８が地面に並置されるようにし、収縮による緩衝効率を高めることができる。また、着地及び重心移動段階で収縮されたトンネル部２８は、地面離脱段階で形状が復元されて反発力を発生させ、歩行効率を高める。
【００１９】
図１０及び図１１に示すように、本発明のミッドソールが装着された健康靴において、ミッドソール２２は、内部に高弾力素材のシャンク（ｓｈａｎｋ）２９が挿入される。これは、底２０及び靴の原形を保ち、歩行時に屈曲及び伸張の変形頻度が高い底２０が元来の形状に円滑に復元されるようにするとともに、歩行時に歩行の安全性を向上させ、地面離脱段階で反発力を付加して軽快な歩行を可能にする。本発明のミッドソールが装着された健康靴で、シャンク２９は、いかなる形状及び素材にしても良いが、合成樹脂（Ｐ．Ｖ．Ｃ）材質を用いてミッドソール２２の外形及び曲面の形状をかたどって板状に形成することが好ましく、歩行時に屈曲角が比較的大きいシャンク２９の前方部は、前方の一定位置から前方先端に続く複数のスリット２９ａを形成して数等分することによってつま先部分の曲げ作用が容易となるようにし、シャンク２９の中央腰部分は、補強のためにビード（ｂｅｅｄ）形態のリブ２９ｂを前後方向に形成し、多数の貫通穴２９ｃを形成させて、ミッドソール２２の製造時に成形液が円滑に流動できるようにする。
【００２０】
一方、本発明のミッドソールが装着された健康靴で、甲革１０の裏革１２と中敷き２６を銀糸素材とし、銀成分を含有させる。甲革１０の構成要素であるタン１６の裏革１２も銀糸で形成することが好ましい。なお、中敷き２６は、銀糸含有の不織布類を表面に付着させるか、または、内部層に挿入して作ると良く、これ以外にも様々な方法で製作可能である。
【００２１】
歩行時の地面に対する足の運動は、着地段階、重心移動段階及び地面離脱段階に分けられる。本発明のミッドソールが装着された健康靴は、着地段階でかかとが地面に着く瞬間、底２０の接地面積が広いため着地による衝撃量が相対的に少なく、トンネル部２８が地面と並んで収縮されるため緩衝効率が高く、マイルドな着地となる。また、ミッドソールトンネル部２８に形成されたトンネルは、トンネルの形成されていない場合に比べて硬度を半分に減らし、緩衝効果を高める機能を担う。続いて重心移動段階に歩行動作が移ると、本発明のミッドソールが装着された健康靴は、曲面形状を有するかかとの底面が地面に沿って煽り運動をし、衝撃力は連続的に分散して吸収される。また、本発明のミッドソールが装着された健康靴は、曲面形状に沿って順次中心が移動するため、足首関節の他、脚及び身体の各関節に急激な衝撃が与えられず、マイルドで自然な歩行が可能になる。続いて地面離脱段階において、本発明のミッドソールが装着された健康靴は、底２０のかかとが地面から離れる際、前段階で収縮されたトンネル部２８またはエアーバック１２８が復元されつつ反発力が発生し、歩行者の足を進行方向に押してやるので、歩行効率が向上し、軽快な歩行が可能となる。
【００２２】
一方、本発明のミッドソールが装着された健康靴で、ミッドソール２２の内部に挿入されたシャンク２９の存在によって、底２０及び靴の原形がよく保存され、歩行時に屈曲及び伸張の変形頻度が高い底２０の元来の形状への復元が円滑になり、且つ、底２０の形状が弾力的でありながらも堅固に維持されるので、歩行の安全性が向上するだけでなく、地面離脱段階で復元力による反発力が付加されてつま先を歩行方向に押し、軽快な歩行及び高い歩行効率が得られる。
【００２３】
また、本発明のミッドソールが装着された健康靴は、甲革１０の裏革１２と中敷き２６が銀成分を含有しているため、細菌の除去及び繁殖を防ぐ坑菌作用はもちろん、臭いも防止して足の健康を守ることができ、具体的には、水虫や湿疹などの予防に効果的であるため、皮膚の敏感な歩行者には大変有益である。
【図面の簡単な説明】
【００２４】
【図１】本発明のトンネル部が形成されたミッドソールの分解斜視図である。
【図２】本発明のトンネル部が形成されたミッドソールの結合斜視図である。
【図３】本発明のトンネル部が形成されたミッドソールにおいてシャンクが内蔵された結合斜視図である。
【図４】本発明のトンネル部が形成されたミッドソールにおいてアウトソールが装着された結合斜視図である。
【図５】本発明のトンネル部が形成されたミッドソールにおいてスプリングが装着された分解斜視図である。
【図６】本発明のトンネル部が形成されたミッドソールにおいてスプリングが装着された結合斜視図である。
【図７】本発明のトンネル部が形成されたミッドソールにおいてシャンクが内蔵された結合斜視図である。
【図８】本発明のトンネル部が形成されたミッドソールにおいてアウトソールが装着された結合斜視図である。
【図９】本発明のトンネル部が形成されたミッドソールにおいてエアーバックが内蔵された結合斜視図である。
【図１０】本発明のトンネル部が形成されたミッドソールにおいてシャンクが内蔵された状態を示す平面図である。
【図１１】図１０のＢ−Ｂ’線に沿った断面図である。
【図１２】本発明のミッドソールが装着された靴を示す斜視図である。
【符号の説明】
【００２５】
１０    甲革
１２    裏革
１４    表革
１６    タン
２０    底
２２    ミッドソール
２４    アウトソール
２６    中敷き
２８    トンネル部
２９    シャンク（ｓｈａｎｋ）
１１０    上部パッド
１１２    トンネル部
１１４    支持突起
１２０    下部パッド
１２２    トンネル部
１２４    支持突起
１２８    エアーバック
【図１】
2008523882.tif 000003
【図２】
2008523882.tif 000004
【図３】
2008523882.tif 000005
【図４】
2008523882.tif 000006
【図５】
2008523882.tif 000007
【図６】
2008523882.tif 000008
【図７】
2008523882.tif 000009
【図８】
2008523882.tif 000010
【図９】
2008523882.tif 000011
【図１０】
2008523882.tif 000012
【図１１】
2008523882.tif 000013
【図１２】
2008523882.tif 000014
【国際調査報告】
2008523882.tif 000015
2008523882.tif 000016